(57)【要約】【課題】簡易に効率よく製作することができるリボン飾りを提供することを課題とする。【解決手段】リボン飾りＸとして、帯状体をほぼ中央で折り返して形成される２のリボン体１０、２０を、互いに交わるように重ね、重ねた部分を固定手段３０により固定することにより形成する。前記固定手段３０はツイストタイ３０を用いることができ、さらに、帯状体をほぼ中央で折り返して形成される他の１以上のリボン体を、前記２のリボン体１０、２０とともに重ね、重ねた部分を前記固定手段により固定したり、少なくとも２のリボン体同士を色もしくは模様が互いに相違するものにしたりしてもよい。【選択図】  図１
0003139940.tif 000002
【実用新案登録請求の範囲】
【請求項１】
帯状体をほぼ中央で折り返して形成される２のリボン体を、互いに交わるように重ね、重ねた部分を固定手段により固定することにより形成されるリボン飾り。
【請求項２】
前記固定手段は、ツイストタイである請求項１に記載のリボン飾り。
【請求項３】
さらに、帯状体をほぼ中央で折り返して形成される他の１以上のリボン体を、前記２のリボン体とともに重ね、重ねた部分を前記固定手段により固定した請求項１又は２に記載のリボン飾り。
【請求項４】
少なくとも２のリボン体は、色もしくは模様が互いに相違する請求項１から３のいずれか１項に記載のリボン飾り。
【考案の詳細な説明】
【技術分野】
【０００１】
本考案は、主として商品などのラッピングに際して飾りとして用いられるリボン飾りに関する。
【背景技術】
【０００２】
従来、贈り物などをラッピングする場合、リボンを用いることがしばしば行われる。リボンでラッピングする場合、結び目を装飾的に形成することでラッピングを華やかにすることが一般的である。しかし、商品をラッピングした後に、リボンをかけて結び目を装飾的に形成することは熟練が必要であり、また、大変手間もかかる。
このような問題に対応するものとして、予め、リボンの結び目のみをリボン飾りとして制作しておき、ラッピング後にこのリボン飾りをシールなどで貼り付けることがしばしば行われている。
【考案の開示】
【考案が解決しようとする課題】
【０００３】
このようなリボン飾りを予め作っておけばラッピングをする現場における手間は省くことができる。しかし、予めリボン飾りを作る時点においては、やはり製作に手間がかかってしまうことは避けられない。
本考案は、このような問題に鑑みて、簡易に効率よく製作することができるリボン飾りを提供することを課題とする。
【課題を解決するための手段】
【０００４】
上記課題を解決するために、本考案は次のような構成を有する。
請求項１に記載の考案は、帯状体をほぼ中央で折り返して形成される２のリボン体を、互いに交わるように重ね、重ねた部分を固定手段により固定することにより形成されるリボン飾りである。
請求項２に記載の考案は、前記リボン飾りにおいて、前記固定手段をツイストタイとしたものである。
請求項３に記載の考案は、前記リボン飾りにおいて、さらに、帯状体をほぼ中央で折り返して形成される他の１以上のリボン体を、前記２のリボン体とともに重ね、重ねた部分を前記固定手段により固定したものである。
請求項４に記載の考案は、前記リボン飾りにおいて、少なくとも２のリボン体は、色もしくは模様が互いに相違するものである。
【考案の効果】
【０００５】
請求項１に記載の考案は、各リボン体の折り返した部分がそれぞれループを形成し、各ループは互いに斜めに交わるので蝶々結びに近似したリボン飾りが形成され、この蝶々結びに近似したリボン飾りを、折り返したリボン体を２つ重ねて固定手段で固定するだけで形成できるので簡易に効率よく製作することができる。
請求項２に記載の考案は、固定手段をツイストタイとすることで巻いてねじる作業だけで固定できるとともに、ツイストタイも装飾的効果を奏することができ、固定した状態のツイストタイの端部の長さをある程度確保すれば、対象物への固定手段として機能させることができる。
請求項３に記載の考案は、さらに複数のリボン体を重ねることで、より華やかなリボン飾りを形成することができる。
請求項４に記載の考案は、リボン体に異なる色や模様のものを入れることで、従来のように一つリボンからリボン飾りを作る場合に比較して、容易にループの一部の色や模様が異なるリボン飾りを作ることができる。
【考案を実施するための最良の形態】
【０００６】
以下、本考案の実施形態について、図を参照しながら説明する。
図１に本実施形態に係るリボン飾りＸの正面図を示す。リボン飾りＸは第１リボン体１０、第２リボン体２０、固定手段となるツイストタイ３０とから構成される。
このリボン飾りＸの製作過程を以下に説明する。まず、図２（ａ）に示すように帯状体のリボンを折り返して２つ折りにしたものを２つ作る。作られたそれぞれのリボンが第１リボン体１０、第２リボン体２０を形成する。なお、第１リボン体１０と第２リボン体２０とは異なる色のリボンにより形成される。次に、第１リボン体１０と第２リボン体２０とを図２（ｂ）に示すように、互いに交わるように重ねる。最後に、適当な長さのツイストタイ３０を、図２（ｃ）に示すように第１リボン体１０と第２リボン体２０が交わる部分に掛け、ループ近傍でねじって固定することでリボン飾りＸを得ることができる。
【０００７】
以上のような構成を有するリボン飾りＸは、例えば図３に示すように、ラッピングした包装Ｐの上に、ツイストタイ３０もしくはリボン体部分を粘着テープＳやシールで固定することで、ラッピングの飾りとして使用したり、図４（ａ）の正面図に示すように、ラッピング用の袋Ｂの口を絞って、この部分にループタイ３０の両端を回して、図４（ｂ）の背面図に示すように合わさった端部をねじることでラッピング用の袋の飾りとしたりすることができる。なお、リボン飾りＸはラッピング用途に用いる他、髪飾りや服飾の装飾として利用することもできる。
【０００８】
なお、上記実施形態では、第１リボン体１０、第２リボン体２０のループと固定するループタイ３０の２つの端部の方向が相対する方向となっているが、これは図５（ａ）に示すように約９０度曲がった方向にしてもよく、同一方向になるようにしてもよい。
また、ここではリボン飾りを構成するリボンは２本であったが、リボンは３以上とすることができる。例えば、図５（ｂ）に示すように第１リボン体１０、第２リボン体２０のほかに、第３リボン体４０、第４リボン体５０を加えると製造の手間は多少増加するが、より華やかなリボン飾りとすることができる。
さらに、上記実施形態ではリボン体同士をループタイ３０により固定しているが、リボン体同士の固定方法はこれには限られず、針金、紐、他のリボン、輪ゴム、ステープラー、接着剤、両面テープ、熱融着等、種々の方法を採用することができる。
【０００９】
以上のような構成を有する本実施形態に係るリボン飾りは、ツイストタイ３０によりリボン体１０、２０を固定するので、リボンを結んで形成する場合に比較して薄く作ることができ、リボン体を増やしてもあまり嵩張ることがない。また、ループごとに色が異なるリボン飾りも、ループを構成するリボン体が別体で形成されるので簡易に製作するこができる。
【図面の簡単な説明】
【００１０】
【図１】実施形態に係るリボン飾りの正面図である。
【図２】（ａ）は、リボンを２つ折りにした第１リボン体もしくは第２リボン体の正面図であり、（ｂ）は第１リボン体と第２リボン体を重ねた状態を示す正面図であり、（ｃ）は、重ねた第１リボン体及び第２リボン体にツイストタイを掛けた状態を示す正面図である。
【図３】実施形態に係るリボン飾りの使用状態の一例を示す正面図である。
【図４】（ａ）は実施形態に係るリボン飾りの使用状態の他の例を示す正面図であり、（ｂ）は同背面図である。
【図５】（ａ）（ｂ）ともに、リボン飾りの他の例を示す正面図である。
【符号の説明】
【００１１】
Ｘ  リボン飾り
１０    第１リボン飾り
２０    第２リボン飾り
３０    ループタイ
【図１】
0003139940.tif 000003
【図２】
0003139940.tif 000004
【図３】
0003139940.tif 000005
【図４】
0003139940.tif 000006
【図５】
0003139940.tif 000007